(57)【要約】【課題】撮影者に撮影場所の記憶がない場合や、撮影場所を特定してもデジタル写真の特定に役立たない場合があると、目的の写真を見つけ出すことができない。【解決手段】デジタル写真データ処理装置は、少なくともデジタル写真データの撮影位置情報および撮影日時情報を記憶する第１記憶部と、イベントが開催される場所の範囲を示す位置範囲情報とイベントが開催される日時の範囲を示す情報である日時範囲情報とで特定されるイベント情報を記憶する第２記憶部と、前記撮影位置情報および前記撮影日時情報に基づいて前記イベント情報を抽出する抽出部と、抽出された前記イベント情報を前記第１記憶手段に記憶されたデジタル写真データに対応付けて記憶させる対応付け部とを有する。【選択図】図１
2011188171.tif 000002
【特許請求の範囲】
【請求項１】
少なくとも撮影位置情報および撮影日時情報を含むデジタル写真データを記憶する第１記憶部と、
イベントが開催される場所の範囲を示す位置範囲情報と前記イベントが開催される日時の範囲を示す情報である日時範囲情報とで特定されるイベント情報を記憶する第２記憶部と、
前記デジタル写真データの前記撮影位置情報および前記撮影日時情報に基づいて、対応するイベント情報を抽出する第１抽出部と、
前記抽出されたイベント情報と前記デジタル写真データとを関連付けて前記第１記憶部に記憶させる対応付け部と、
を有することを特徴とするデジタル写真データ処理装置。
【請求項２】
イベントが開催される場所の範囲を示す位置範囲情報と前記イベントが開催される日時の範囲を示す情報である日時範囲情報とで特定されるイベント情報を記憶したデジタル写真データサーバから、前記イベント情報を受信するデジタル写真データ処理装置であって、
撮影画像情報と撮影位置情報と撮影日時情報を含むデジタル写真データを記憶する第１記憶部と、
前記デジタル写真データサーバへ、前記デジタル写真データの前記撮影位置情報と前記撮影日時情報を送信するとともに、前記デジタル写真データサーバから、前記撮影位置情報と前記撮影日時情報に対応するイベント情報を受信する第１通信部と、
前記受信されたイベント情報と前記デジタル写真データとを関連付けて前記第１記憶部に記憶させる対応付け部と、
を有することを特徴とするデジタル写真データ処理装置。
【請求項３】
前記デジタル写真データ及び前記デジタル写真データに関連付けられたイベント情報を表示する表示部と、をさらに有することを特徴とする請求項１に記載のデジタル写真データ処理装置。
【請求項４】
前記デジタル写真データ及び前記デジタル写真データに関連付けられたイベント情報を表示する表示部と、をさらに有することを特徴とする請求項２に記載のデジタル写真データ処理装置。
【請求項５】
イベント情報に関連するイベント関連情報を記憶する第３記憶部と、
前記デジタル写真データ及び前記イベント関連情報を示すイベント補助情報を表示する表示部と、をさらに備え、
前記第１抽出部は、前記デジタル写真データに関連付けられたイベント情報に基づいて、前記第３記憶部から対応するイベント関連情報を抽出し、対応するイベント補助情報を作成して前記表示部に表示させる、ことを特徴とする請求項１に記載のデジタル写真データ処理装置。
【請求項６】
前記デジタル写真データ及びイベント補助情報を表示する表示部と、をさらに備え、
前記第１通信部は、前記デジタル写真データサーバへ、前記デジタル写真データに関連付けられたイベント情報を送信するとともに、前記デジタル写真データサーバから、対応するイベント補助情報を受信し、
前記表示部は、前記デジタル写真データ及び前記受信されたイベント補助情報を表示する、ことを特徴とする請求項２に記載のデジタル写真データ処理装置。
【請求項７】
デジタル写真データを記憶するデジタル写真データ処理装置との間で情報を送受信するデジタル写真データサーバであって、
イベントが開催される場所の範囲を示す位置範囲情報と前記イベントが開催される日時の範囲を示す情報である日時範囲情報とで特定されるイベント情報を記憶する第１データベースと、
前記デジタル写真データ処理装置から、前記デジタル写真データの撮影位置情報および撮影日時情報を受信する第２通信部と、
前記受信された撮影位置情報および前記受信された撮影日時情報に基づいて、対応するイベント情報を抽出する第２抽出部と、を備え、
前記第２通信部は、前記抽出されたイベント情報を前記デジタル写真データ処理装置へ送信する、
ことを特徴とするデジタル写真データサーバ。
【請求項８】
イベント情報に関連するイベント関連情報を記憶する第２データベースと、を更に備え、
前記第２通信部が前記デジタル写真データ処理装置からイベント情報を受信した場合に、前記第２抽出部は、前記受信されたイベント情報に対応するイベント関連情報を抽出して対応するイベント補助情報を作成し、前記第２通信部は、前記作成されたイベント補助情報を前記デジタル写真データ処理装置へ送信する、
ことを特徴とする請求項７に記載のデジタル写真データサーバ。
【請求項９】
前記第１データベースに記憶されたイベント情報の更新または新規イベント情報の追加を行うデータベース作成部と、をさらに備え、
前記第２通信部は、前記デジタル写真データ処理装置からイベント情報をさらに受信し、
前記データベース作成部は、前記受信したイベント情報と、前記受信された撮影位置情報または前記受信された撮影日時情報に基づいて、前記第１データベースに記憶されたイベント情報の更新または新規イベント情報の追加を行う、ことを特徴とする請求項７に記載のデジタル写真データサーバ。
【請求項１０】
前記データベース作成部は、前記受信したイベント情報が前記第１データベースに記憶されたイベント情報として存在するか否かを判断し、存在しないと判断した場合は、前記受信された撮影位置情報に一定範囲を持たせた位置範囲情報及び前記受信された撮影日時情報に一定範囲を持たせた日時範囲情報を作成し、前記受信されたイベント情報に前記作成された位置範囲情報及び前記作成された日時範囲情報を対応付けて新規イベント情報として前記第１データベースに追加し、存在すると判断した場合は、前記第１データベースにおいて前記受信されたイベント情報に対応する位置範囲情報または日時範囲情報を、前記受信された撮影位置情報または前記受信された撮影日時情報に応じて更新する、ことを特徴とする請求項９に記載のデジタル写真データサーバ。
【請求項１１】
デジタル写真データ処理装置とデジタル写真データサーバからなるデジタル写真データ処理システムであって、
前記デジタル写真データ処理装置は、
撮影画像情報と撮影位置情報と撮影日時情報を含むデジタル写真データを記憶する第１記憶部と、
前記デジタル写真データサーバへ、前記デジタル写真データの前記撮影位置情報と前記撮影日時情報を送信するとともに、前記デジタル写真データサーバからイベント情報を受信する第１通信部と、
前記受信されたイベント情報と前記デジタル写真データとを関連付けて前記第１記憶部に記憶させる対応付け部と、を備え、
前記デジタル写真データサーバは、
イベントが開催される場所の範囲を示す位置範囲情報と前記イベントが開催される日時の範囲を示す情報である日時範囲情報とで特定されるイベント情報を記憶する第１データベースと、
前記デジタル写真データ処理装置から、前記デジタル写真データの前記撮影位置情報および前記撮影日時情報を受信する第２通信部と、
前記第２通信部が受信した情報に基づいて、対応するイベント情報を前記第１データベースに記憶されたイベント情報から抽出する第２抽出部と、を備え、
前記第２通信部は、前記抽出されたイベント情報を前記デジタル写真データ処理装置へ送信する、
ことを特徴とするデジタル写真データ処理システム。
【請求項１２】
前記デジタル写真データ処理装置は、
前記デジタル写真データ及びイベント補助情報を表示する表示部と、をさらに備え、
前記第１通信部は、前記デジタル写真データサーバへ、前記デジタル写真データに関連付けられたイベント情報を送信するとともに、前記デジタル写真データサーバから前記イベント補助情報を受信し、
前記表示部は、前記デジタル写真データ及び前記受信されたイベント補助情報を表示し、
前記デジタル写真データサーバは、
イベント情報に関連するイベント関連情報を記憶する第２データベースと、を更に備え、
前記第２通信部が前記デジタル写真データ処理装置からイベント情報を受信した場合に、前記第２抽出部は、前記受信されたイベント情報に対応するイベント関連情報を抽出して対応するイベント補助情報を作成し、前記第２通信部は、前記作成されたイベント補助情報を前記デジタル写真データ処理装置へ送信する、
ことを特徴とする請求項１１に記載のデジタル写真データ処理システム。
【請求項１３】
前記デジタル写真データ処理装置において、
前記第１通信部は、前記デジタル写真データサーバへイベント情報をさらに送信し、
前記デジタル写真データサーバは、
前記第１データベースに記憶されたイベント情報の更新または新規イベント情報の追加を行うデータベース作成部と、をさらに備え、
前記データベース作成部は、前記第２通信部が前記デジタル写真データ処理装置から前記イベント情報、前記撮影位置情報および前記撮影日時情報を受信した場合に、前記受信されたイベント情報と、前記受信された撮影位置情報または前記受信された撮影日時情報に基づいて、前記第１データベースに記憶されたイベント情報の更新または新規イベント情報の追加を行う、ことを特徴とする請求項１１に記載のデジタル写真データ処理システム。
【請求項１４】
少なくとも撮影位置情報および撮影日時情報を含むデジタル写真データを第１記憶部に記憶するステップと、
イベントが開催される場所の範囲を示す位置範囲情報と前記イベントが開催される日時の範囲を示す情報である日時範囲情報とで特定されるイベント情報を第２記憶部に記憶するステップと、
前記デジタル写真データの前記撮影位置情報および前記撮影日時情報に基づいて、対応するイベント情報を抽出する第１抽出ステップと、
前記抽出されたイベント情報と前記デジタル写真データとを関連付けて前記第１記憶部に記憶させる対応付けステップと、
を有することを特徴とするデジタル写真データ処理方法。
【請求項１５】
撮影画像情報と撮影位置情報と撮影日時情報を含むデジタル写真データを第１記憶部に記憶するステップと、
デジタル写真データサーバへ、前記デジタル写真データの前記撮影位置情報と前記撮影日時情報を送信する第１送信ステップと、
前記デジタル写真データサーバから、前記撮影位置情報と前記撮影日時情報に対応するイベント情報を受信する第１受信ステップと、
前記受信されたイベント情報と前記デジタル写真データとを関連付けて前記第１記憶部に記憶させる対応付けステップと、
を有することを特徴とするデジタル写真データ処理方法。
【請求項１６】
前記デジタル写真データ及び前記デジタル写真データに関連付けられたイベント情報を表示部に表示するステップと、
をさらに有することを特徴とする請求項１４に記載のデジタル写真データ処理方法。
【請求項１７】
前記デジタル写真データ及び前記デジタル写真データに関連付けられたイベント情報を表示部に表示するステップと、
をさらに有することを特徴とする請求項１５に記載のデジタル写真データ処理方法。
【請求項１８】
イベント情報に関連するイベント関連情報を第３記憶部に記憶するステップと、
前記デジタル写真データに関連付けられたイベント情報に基づいて、前記第３記憶部から対応するイベント関連情報を抽出するステップと、
前記デジタル写真データ及び前記イベント関連情報を示すイベント補助情報を表示部に表示するステップと、
をさらに有することを特徴とする請求項１４に記載のデジタル写真データ処理方法。
【請求項１９】
前記デジタル写真データサーバへ、前記デジタル写真データに関連付けられたイベント情報を送信する第２送信ステップと、
前記デジタル写真データサーバから、対応するイベント補助情報を受信する第２受信ステップと、
前記デジタル写真データ及び前記受信されたイベント補助情報を前記表示部に表示するステップと、
をさらに有することを特徴とする請求項１５に記載のデジタル写真データ処理方法。
【請求項２０】
デジタル写真データ処理装置とデジタル写真データサーバからなるデジタル写真データ処理システムにおけるデジタル写真データ処理方法であって、
前記デジタル写真データ処理装置の第１記憶部に、撮影画像情報と撮影位置情報と撮影日時情報を含むデジタル写真データを記憶させるステップと、
前記デジタル写真データサーバの第１データベースに、イベントが開催される場所の範囲を示す位置範囲情報と前記イベントが開催される日時の範囲を示す情報である日時範囲情報とで特定されるイベント情報を記憶させるステップと、
前記デジタル写真データ処理装置から前記デジタル写真データサーバへ、前記デジタル写真データの前記撮影位置情報と前記撮影日時情報を送信する第１通信ステップと、
前記デジタル写真データ処理装置から送信された前記デジタル写真データの前記撮影位置情報と前記撮影日時情報に基づいて、対応するイベント情報を前記第１データベースに記憶させた前記イベント情報から抽出する第２抽出ステップと、
前記デジタル写真データサーバから前記デジタル写真データ処理装置へ、前記抽出したイベント情報を送信する第２通信ステップと、
前記抽出したイベント情報と前記デジタル写真データとを関連付けて、前記第１記憶部に記憶させる対応付けステップと、
を有することを特徴とするデジタル写真データ処理方法。
【請求項２１】
前記デジタル写真データサーバの第２データベースにイベント情報に関連するイベント関連情報を記憶させるステップと、
前記デジタル写真データ処理装置から前記デジタル写真データサーバへ前記イベント情報を送信する第３通信ステップと、
前記受信されたイベント情報に対応するイベント関連情報を抽出して、対応するイベント補助情報を作成するステップと、
前記作成されたイベント補助情報を前記デジタル写真データサーバから前記デジタル写真データ処理装置へ送信する第４通信ステップと、
前記デジタル写真データ及び前記イベント補助情報を前記デジタル写真データ処理装置の有する表示部に表示するステップと、
をさらに有することを特徴とする請求項２０に記載のデジタル写真データ処理方法。
【請求項２２】
前記第１通信ステップにおいて、前記デジタル写真データ処理装置から前記デジタル写真データサーバへ、前記イベント情報をさらに送信する第５通信ステップと、
前記受信されたイベント情報と、前記受信された撮影位置情報または前記受信された撮影日時情報に基づいて、前記第１データベースに記憶されたイベント情報の更新または新規イベント情報の追加を行うステップと、
をさらに有することを特徴とする請求項２０に記載のデジタル写真データ処理方法。
【発明の詳細な説明】
【技術分野】
【０００１】
本発明は、デジタル写真データ処理装置、デジタル写真データサーバ、デジタル写真データ処理システム及びデジタル写真データ処理方法に関し、更に詳しくは、デジタル写真データとともにデジタル写真データに関連する情報を表示するデジタル写真データ処理装置、デジタル写真データサーバ、デジタル写真データ処理システム及びデジタル写真データ処理方法に関する。
【背景技術】
【０００２】
近年、デジタル写真の楽しみ方として、デジタル写真を個人のパソコン、フォトビューア、テレビ等に表示して観賞するといった楽しみ方が普及している。
【０００３】
デジタル写真の情報（以下、デジタル写真情報）は、例えば、ハードディスク、フラッシュメモリ等の各種記憶媒体に記憶される。デジタル写真情報を読み出し可能な手段を有するデジタル写真データ処理装置によって、各種記憶媒体からデジタル写真情報に含まれる撮影画像情報が読み出され、適宜ディスプレイ等の表示手段に表示される。
【０００４】
記憶媒体の大容量化に伴い、個人の有するデジタル写真の量は増大している。デジタル写真の量が増大すると、目的のデジタル写真を多数のデジタル写真の中から見つけ出すといったことが困難となる。
【０００５】
目的のデジタル写真を見つけ出す為に、デジタル写真データ処理装置にインストールされたオペレーションシステムを用いて、例えばデジタル写真のファイルの名称や、格納されているフォルダの名称を特定して照合検索をすることが日常的に行われている。また、同様にデジタル写真情報に含まれるサムネイル画像を用いて、ファイル構造表示画面で小さな画像を閲覧しながら目的のデジタル写真を検索する手段も行われている。
【０００６】
しかし、デジタル写真のファイルの名称は無機質な数列の並び合わせであったりして写真の特定には役に立たないことが多い。また、デジタル写真が格納されているフォルダの名称は、デジタル写真を撮影した日付に対応して名づけられていることが多いが、デジタル写真を日常的に撮る場合や、撮影してから年月の経ったデジタル写真を検索する場合は、撮影日時とデジタル写真の関連性が人間の記憶上あいまいになっていることが多い。
【０００７】
ここで、デジタル写真を効率よく検索する為に、メタデータと呼ばれるデジタル写真情報に含まれている文字列データを用いて検索に役立てる技術が知られている（例えば、特許文献１参照）。
【０００８】
デジタル写真情報に含まれるメタデータの規格としてＥｘｉｆ情報という規格が策定されている。Ｅｘｉｆ（Ｅｘｃｈａｎｇｅｂｌｅ  ｉｍａｇｅ  ｆｉｌｅ  ｆｏｒｍａｔ）情報には、撮影位置情報の他、撮影時刻、カメラメーカー名、カメラ機種名、シャッタースピードなどを格納することが可能である。
【０００９】
例えばＧＰＳ（Ｇｌｏｂａｌ  Ｐｏｓｉｔｉｏｎｉｎｇ  Ｓｙｓｔｅｍ）を搭載したカメラ等によって撮影されたデジタル写真のデジタル写真情報には、Ｅｘｉｆ情報として撮影位置情報が含まれていることが多い。
【００１０】
ここで、特許文献１には、撮影位置情報に対応する地名データを格納したデータベースを用いて、撮影位置情報に対応する地名データをデジタル写真のファイルの名称とする技術が開示されている。
【００１１】
このようにすれば、ある場所で撮影したという記憶を頼りに、その場所の名称を検索のキーとしてファイルの名称に照合検索をすることによって目的のデジタル写真を特定することが可能となる。
【先行技術文献】
【特許文献】
【００１２】
【特許文献１】特開２００２−４４５９３号公報
【発明の概要】
【発明が解決しようとする課題】
【００１３】
しかしながら上記従来の技術では、デジタル写真の撮影者がその撮影場所とデジタル写真とを関連付けて記憶できていない場合は依然として目的のデジタル写真を探すのに時間がかかる。
【００１４】
例えば、花火大会を撮影しに行く為に、打ち上げ箇所である河川敷沿いの配水場近辺に出かけたとする。すると、デジタル写真の名称は「○○配水場」などと名づけられる。ここで撮影者が花火大会で撮影したデジタル写真を検索しようとしても、「花火大会の写真」というイメージが先行して、撮影した場所を想起できないことが考えられる。
【００１５】
似た問題として、同じ場所であっても違う対象を撮影することが頻繁にあると、撮影した場所は覚えているものの、検索で絞り込まれたデジタル写真の数が膨大な量になることが考えられる。例えば、野球場で撮ったデジタル写真は何枚もあるが、特定の試合のデジタル写真を見つけたい場合などである。
【００１６】
つまり、上記従来の技術では、撮影者に撮影場所の記憶がない場合や、撮影場所を特定してもデジタル写真の特定に役立たない場合があると、目的の写真を見つけ出すことができないという問題があった。
【００１７】
本発明は上記問題を解決し、目的のデジタル写真を効率よく見つけ出すことができるデジタル写真データ処理装置、デジタル写真データサーバ、デジタル写真データ処理システム及びデジタル写真データ処理方法を提供することを目的としている。
【課題を解決するための手段】
【００１８】
前記従来の課題を解決する為に、本発明のデジタル写真データ処理装置は少なくとも撮影位置情報および撮影日時情報を含むデジタル写真データを記憶する第１記憶部と、イベントが開催される場所の範囲を示す位置範囲情報と前記イベントが開催される日時の範囲を示す情報である日時範囲情報とで特定されるイベント情報を記憶する第２記憶部と、前記デジタル写真データの前記撮影位置情報および前記撮影日時情報に基づいて、対応するイベント情報を抽出する第１抽出部と、前記抽出されたイベント情報と前記デジタル写真データとを関連付けて前記第１記憶部に記憶させる対応付け部と、を有することを特徴とするデジタル写真データ処理装置とした。
【００１９】
また本発明のデジタル写真データ処理装置は、イベントが開催される場所の範囲を示す位置範囲情報と前記イベントが開催される日時の範囲を示す情報である日時範囲情報とで特定されるイベント情報を記憶したデジタル写真データサーバから、前記イベント情報を受信するデジタル写真データ処理装置であって、撮影画像情報と撮影位置情報と撮影日時情報を含むデジタル写真データを記憶する第１記憶部と、前記デジタル写真データサーバへ、前記デジタル写真データの前記撮影位置情報と前記撮影日時情報を送信するとともに、前記デジタル写真データサーバから、前記撮影位置情報と前記撮影日時情報に対応するイベント情報を受信する第１通信部と、前記受信されたイベント情報と前記デジタル写真データとを関連付けて前記第１記憶部に記憶させる対応付け部と、を有することを特徴とするデジタル写真データ処理装置ともした。
【００２０】
また本発明のデジタル写真データサーバは、デジタル写真データを記憶するデジタル写真データ処理装置との間で情報を送受信するデジタル写真データサーバであって、イベントが開催される場所の範囲を示す位置範囲情報と前記イベントが開催される日時の範囲を示す情報である日時範囲情報とで特定されるイベント情報を記憶する第１データベースと、前記デジタル写真データ処理装置から、前記デジタル写真データの撮影位置情報および撮影日時情報を受信する第２通信部と、前記受信された撮影位置情報および前記受信された撮影日時情報に基づいて、対応するイベント情報を抽出する第２抽出部と、を備え、前記第２通信部は、前記抽出されたイベント情報を前記デジタル写真データ処理装置へ送信する、ことを特徴とするデジタル写真データサーバとした。
【００２１】
また本発明のデジタル写真データ処理システムは、デジタル写真データ処理装置とデジタル写真データサーバからなるデジタル写真データ処理システムであって、前記デジタル写真データ処理装置は、撮影画像情報と撮影位置情報と撮影日時情報を含むデジタル写真データを記憶する第１記憶部と、前記デジタル写真データサーバへ、前記デジタル写真データの前記撮影位置情報と前記撮影日時情報を送信するとともに、前記デジタル写真データサーバからイベント情報を受信する第１通信部と、前記受信されたイベント情報と前記デジタル写真データとを関連付けて前記第１記憶部に記憶させる対応付け部と、を備え、前記デジタル写真データサーバは、イベントが開催される場所の範囲を示す位置範囲情報と前記イベントが開催される日時の範囲を示す情報である日時範囲情報とで特定されるイベント情報を記憶する第１データベースと、前記デジタル写真データ処理装置から、前記デジタル写真データの前記撮影位置情報および前記撮影日時情報を受信する第２通信部と、前記第２通信部が受信した情報に基づいて、対応するイベント情報を前記第１データベースに記憶されたイベント情報から抽出する第２抽出部と、を備え、前記第２通信部は、前記抽出されたイベント情報を前記デジタル写真データ処理装置へ送信する、ことを特徴とするデジタル写真データ処理システムとした。
【００２２】
また本発明のデジタル写真データ処理方法は、少なくとも撮影位置情報および撮影日時情報を含むデジタル写真データを第１記憶部に記憶するステップと、イベントが開催される場所の範囲を示す位置範囲情報と前記イベントが開催される日時の範囲を示す情報である日時範囲情報とで特定されるイベント情報を第２記憶部に記憶するステップと、前記デジタル写真データの前記撮影位置情報および前記撮影日時情報に基づいて、対応するイベント情報を抽出する第１抽出ステップと、前記抽出されたイベント情報と前記デジタル写真データとを関連付けて前記第１記憶部に記憶させる対応付けステップと、を有することを特徴とするデジタル写真データ処理方法とした。
【００２３】
また本発明のデジタル写真データ処理方法は、撮影画像情報と撮影位置情報と撮影日時情報を含むデジタル写真データを第１記憶部に記憶するステップと、デジタル写真データサーバへ、前記デジタル写真データの前記撮影位置情報と前記撮影日時情報を送信する第１送信ステップと、前記デジタル写真データサーバから、前記撮影位置情報と前記撮影日時情報に対応するイベント情報を受信する第１受信ステップと、前記受信されたイベント情報と前記デジタル写真データとを関連付けて前記第１記憶部に記憶させる対応付けステップと、を有することを特徴とするデジタル写真データ処理方法ともした。
【００２４】
また本発明のデジタル写真データ処理方法は、デジタル写真データ処理装置とデジタル写真データサーバとの間での情報の送受信を介して行うデジタル写真データ処理方法であって、前記デジタル写真データ処理装置の第１記憶部に、撮影画像情報と撮影位置情報と撮影日時情報を含むデジタル写真データを記憶させるステップと、前記デジタル写真データサーバの第１データベースに、イベントが開催される場所の範囲を示す位置範囲情報と前記イベントが開催される日時の範囲を示す情報である日時範囲情報とで特定されるイベント情報を記憶させるステップと、前記デジタル写真データ処理装置から前記デジタル写真データサーバへ、前記デジタル写真データの前記撮影位置情報と前記撮影日時情報を送信する第１通信ステップと、前記デジタル写真データ処理装置から送信された前記デジタル写真データの前記撮影位置情報と前記撮影日時情報に基づいて、対応するイベント情報を前記第１データベースに記憶させた前記イベント情報から抽出する第２抽出ステップと、前記デジタル写真データサーバから前記デジタル写真データ処理装置へ、前記抽出したイベント情報を送信する第２通信ステップと、前記抽出したイベント情報と前記デジタル写真データとを関連付けて、前記第１記憶部に記憶させる対応付けステップと、を有することを特徴とするデジタル写真データ処理方法ともした。
【発明の効果】
【００２５】
本発明によれば、デジタル写真データの撮影位置情報および撮影日時情報に対応するイベント情報をデジタル写真データに対応付けることができるので、撮影者の記憶に残りやすいイベント情報を頼りに目的のデジタル写真を効率よく見つけ出すことができる。
【図面の簡単な説明】
【００２６】
【図１】本発明の実施の形態１におけるデジタル写真データ処理装置の構成を示すブロック図
【図２】本発明の実施の形態１におけるイベントデータベースに格納されているデータ構造の例を示したデータ構造図
【図３】本発明の実施の形態１におけるデータ付加処理を示すフローチャート
【図４】本発明におけるＥｘｉｆ規格に従ってデジタル写真データにメタデータとして格納されるＥｘｉｆ情報と実用上の意味との対応を示す図
【図５】本発明におけるイベント情報抽出処理を示すフローチャート
【図６】本発明におけるイベント情報表示処理によって表示部に表示されたデジタル写真データの例を示す図
【図７】本発明におけるイベント関連情報データベースに格納されているデータ構造の例を示す図
【図８】本発明における撮影画像情報の表示と同時に、イベント補助情報を表示部に表示する場合の例を示す図
【図９】本発明におけるイベント補助情報を通じてイベント関連情報にアクセスした場合の表示例を示す図
【図１０】本発明の実施の形態２におけるデジタル写真データ処理装置とデジタル写真データサーバからなるデジタル写真データ処理システムの構成を示すブロック図
【図１１】本発明の実施の形態２におけるデジタル写真データ処理装置のデータ付加処理を示すフローチャート
【図１２】本発明の実施の形態２におけるデジタル写真データサーバのデータ付加処理を示すフローチャート
【図１３】本発明の実施の形態２におけるデジタル写真データ処理装置のイベント情報作成処理を示すフローチャート
【図１４】本発明の実施の形態２におけるデジタル写真データサーバのイベント情報作成処理を示すフローチャート
【発明を実施するための形態】
【００２７】
以下本発明の一実施の形態について図面を参照しながら説明する。
（実施の形態１）
以下図１から図９を参照しながら、実施の形態１について説明する。図１は、実施の形態１におけるデジタル写真データ処理装置の構成を示すブロック図である。デジタル写真データ処理装置１は、ＣＰＵ２と、ＲＯＭ３と、ＲＡＭ４と、デジタル写真データ取得部５と、イベントデータベース６と、表示部７と、入力部８及びイベント関連情報データベース９から構成される。
【００２８】
ＣＰＵ（Ｃｅｎｔｒａｌ  Ｐｒｏｃｅｓｓｉｎｇ  Ｕｎｉｔ）２は、演算処理によってデジタル写真データ処理装置１の全体動作を制御するものである。ＲＯＭ（Ｒｅａｄ  Ｏｎｌｙ  Ｍｅｍｏｒｙ）３は、各種データ、プログラムを記憶するものである。ＲＡＭ４（Ｒａｎｄｏｍ  Ａｃｃｅｓｓ  Ｍｅｍｏｒｙ）は、デジタル写真データ処理装置１の動作に使用される各種データ、プログラムを一時的に記憶するものである。ＣＰＵ２は抽出部と対応付け部を構成する。
【００２９】
デジタル写真データ取得部５は、外部記憶媒体に記録されたデジタル写真データをＲＯＭ３またはＲＡＭ４に転送する為に、外部記憶媒体を物理的に接続するものである。
【００３０】
イベントデータベース６は、イベントデータを複数格納したデータベースである。ここで、イベントデータは、イベント情報と、イベント情報で示されるイベントが開催される位置の範囲を示す位置範囲情報と、イベント情報で示されるイベントが開催される日時の範囲を示す情報である日時範囲情報とを含む要素で構成される。イベントデータについては後ほど図２を用いて詳述する。イベントデータは予めデジタル写真データ処理装置１に格納していてもよいし、デジタル写真データサーバ（図示せず）からインターネット等の通信手段を介して取得してイベントデータベース６に格納していてもよい。
【００３１】
表示部７は、液晶ディスプレイ等からなり、デジタル写真データ処理装置１の使用者に視覚を通じて情報を提示するものである。入力部８は、キーボード、リモコン、タッチパネル等からなり、デジタル写真データ処理装置１の使用者が情報を入力するものである。
【００３２】
イベント関連情報データベース９は、イベント関連情報データの保存場所のアドレスを格納したデータベースである。イベント関連情報データは、図７に示すようにイベント情報と、イベント情報で示されるイベントに関連する情報、例えばイベントの概要、沿革などの文章情報、イベントを理解するのに有用な情報が示されたウェブページ、イベントの開催された場所の地図などの画像情報、音楽、音声などの音情報などで構成される。イベント関連情報データについても、イベントデータと同様、予めデジタル写真データ処理装置１に格納していてもよいし、デジタル写真データサーバ（図示せず）からインターネット等の通信手段を介して取得してイベント関連情報データベース９に格納してもよい。
【００３３】
ここで、イベントデータについて図２を用いて説明する。図２は、イベントデータベース６に格納されているデータ構造（イベントデータ）の例を示したデータ構造図である。データＩＤは、イベントデータ固有の識別番号である。イベント情報は、イベント名、イベントの種類などの文字情報である。イベント情報は後述する処理によってメタデータとしてデジタル写真データに付加されるので、容量の制約により文章などではなく、短い語句が想定される。位置範囲情報は、イベントが開催される場所の範囲であり、緯度と経度と半径からなる。緯度は、北緯を表すＮ、又は南緯を表すＳと、緯度の度分秒からなる。経度は東経を表すＥ、又は西経を表すＷと、経度の度分秒からなる。半径はキロメートル単位であり、緯度と経度で特定される地点からの範囲を示す。日時範囲情報は、イベントが開催される日時の範囲を示す情報であり、イベント開始年月日時分とイベント終了年月日時分の組合せからなる。ここで各要素は必ずしも全てが特定されている必要はなく、不特定の値を指定することも可能である。値を特定せず不特定の値とするときは、例えば、＊記号等の特殊記号を用いて値を指定する。
【００３４】
例えば、データＩＤ「１」が示す意味は、「Ａ県雪祭り」というイベントが、「北緯４０度３８分２４秒、東経１４０度３５分５３秒」の地点から、「半径３キロメートル」にわたって、「２０１０年２月１１日の午前１０時から２０１０年２月１４日の午後８時まで」開催されているという意味である。なお、イベントが開催される範囲を示す方法は中心点と半径を用いて示す方法に限定されるものではない。緯度経度を用いて、あらゆる形状の範囲を示すことも可能である。このようにすると、例えばイベント会場の形状に応じて緯度経度の範囲を個別に指定することによって、楕円形のサッカースタジアムや、長方形の小学校で行われるイベントについてより精密に範囲を規定することが可能である。
【００３５】
このように、位置範囲情報と日時範囲情報とで、イベント情報を特定することが可能である。ここでいう特定とは、一意に定まるという意味ではなく、無数のイベント情報のうちの数個を特定することができるという意味である。一意に定まらない理由は、同じ日時に同じ場所で開催されるイベントでも、複数の呼び名等がある場合や、複数のイベントが同じ場所で同じ日時に開催される場合があるからである。
【００３６】
次に、デジタル写真データ処理装置１の処理について詳述する。実施の形態１では、デジタル写真データ処理装置１は、データ付加処理、イベント情報表示処理、イベント補助情報表示処理を行う。
【００３７】
まず、データ付加処理について、図３から図５を用いて説明する。図３は、データ付加処理を示すフローチャートである。図４は、Ｅｘｉｆ情報の意味を示す図である。図５は、図３に示すデータ付加処理中のイベント情報抽出処理を示すフローチャートである。
【００３８】
ここで、デジタル写真データはＥｘｉｆ情報として撮影画像情報、撮影位置情報、撮影日時情報を有する。具体的にデジタル写真データのＥｘｉｆ情報は、図４に示すように、デジタル写真データを作成したカメラのメーカー名、機種名、撮影日時などの基本的情報の他、撮影位置を特定するＧＰＳによって測定された緯度、経度情報である撮影位置情報を記憶する。なお、測定に用いるＧＰＳはカメラ本体に内蔵されているものの他、撮影者が別途ＧＰＳロガーを携帯するなどして用意されたものでもよい。
【００３９】
まず、使用者からあるデジタル写真データが入力部８を介して指定されると、ＣＰＵ２は、ＲＡＭ４にデジタル写真データを読み出す（ステップＳ１）。デジタル写真データは、ＲＯＭ３に記憶されていたものでも、デジタル写真データ取得部５に接続された外部記憶媒体に記憶されていたものでも良い。読み出されるデジタル写真データは、何らかのイベントの写真を撮影した際に記録されたデータであるとする。ここでイベントとは、地球上の位置と時点で特定される出来事をいう。例えば第○回△市花火大会、サッカー○○杯の決勝戦、秋の富士山などである。
【００４０】
次いで、ＣＰＵ２がイベントデータベース６からイベント情報の抽出を行うイベント情報抽出処理を実行する（ステップＳ２）。イベント情報の抽出にはＲＡＭ４に読み出されたデジタル写真データに含まれる撮影位置情報と撮影日時情報を使用する。
【００４１】
図５はイベント情報抽出処理のフローチャートである。ＣＰＵ２がイベントデータベース６上に、今回のイベント情報抽出処理で取得していないイベントデータが存在するかどうかを判定する（ステップＳ１１）。取得していないイベントデータが存在すれば（ステップＳ１１で「Ｙｅｓ」）、イベントデータを取得する（ステップＳ１２）。
【００４２】
続いて、取得したイベントデータの位置範囲情報の示す位置範囲に、デジタル写真データの撮影位置情報の示す撮影位置が含まれるかを判定する（ステップＳ１３）。上述したように、位置範囲情報は一地点の緯度および経度と、その点を中心とした半径によって示されている。よって判定には、撮影位置情報と位置範囲情報の中心地点との緯度経度の差をまず計算し、次にその差を既存の変換公式によって距離に変換すればよい。
【００４３】
位置範囲に撮影位置が含まれるならば（ステップＳ１３で「Ｙｅｓ」）、続いて、取得したイベントデータの日時範囲情報の示す日時範囲に、デジタル写真データの撮影日時情報の示す撮影日時が含まれるかを判定する（ステップＳ１４）。日時範囲に撮影日時が含まれるならば（ステップＳ１４で「Ｙｅｓ」）、イベント情報を抽出する（ステップＳ１５）。ＣＰＵ２は、イベントデータベース６上に今回のイベント情報抽出処理で取得していないイベントデータがなくなるまで上記のイベント情報抽出処理を繰り返し（ステップＳ１１からステップＳ１５）、取得していないイベントデータが無ければ（ステップＳ１１で「Ｎｏ」）、イベント情報抽出処理を終了して、データ付加処理に戻る。
【００４４】
イベント情報抽出処理の終了後の、データ付加処理の説明を行う。イベント情報の抽出ができれば、続いてイベント情報をステップＳ１において読み出されたデジタル写真データに付加する（ステップＳ３）。具体的には、Ｅｘｉｆ情報の所定領域にイベント情報を書き込むことによってメタデータの付加を行う。Ｅｘｉｆ規格では、Ｅｘｉｆ情報としてメーカー独自の情報を書き込む領域をメーカーノート領域としてデータ構造内に規定している。本実施の形態ではメーカーノート領域にイベント情報を書き込む。
【００４５】
以上説明したデータ付加処理を実行することにより、本実施の形態では、以下の利点がある。例えば、使用者が多数のデジタル写真データが存在する中から、あるイベントで撮影したデジタル写真データを検索したいとする。ここで、データ付加処理が行われたデジタル写真データには、イベント名を含むイベント情報が含まれている。よって、デジタル写真データに対してイベント名を指定して絞込み検索を行うことによって、目的のデジタル写真データを容易に検索できるのである。
【００４６】
またその他にも、デジタル写真データに共通するイベント名を名称としたフォルダ分けを行うなどのように、適宜デジタル写真データ処理装置１に対する命令処理を行うことによっても、イベント名を指定してフォルダの絞込み検索を行うことができる。さらにデジタル写真データの整理などを簡潔に行うことができる。
【００４７】
次に、イベント情報表示処理について図６を用いて説明する。イベント情報表示処理は、上述したデータ付加処理完了後に実行される。よって、デジタル写真データにはデータ付加処理によって、イベント情報が存在するデジタル写真データには、対応するＥｘｉｆ情報のメーカーノート領域にイベント情報が付加されている。
【００４８】
先に述べたようにデジタル写真データには、元から撮影画像情報が含まれている。イベント情報表示処理では、ＣＰＵ２が表示部７に撮影画像情報と、デジタル写真データに付加されたイベント情報を表示させる。ここで、イベント情報の表示の仕方としては、例えば、イベント名を文字列として写真の隅に表示させるなどの手段が考えられる。
【００４９】
図６はイベント情報表示処理によって表示部７に表示されたデジタル写真データの表示例を示す図である。図６では、撮影画像情報に対応するイベント情報として、「Ｅ川花火大会」を表示する。イベント情報を撮影画像情報と同時に表示部７に表示すると、撮影画像情報を観賞すればメタデータをわざわざ参照しなくてもイベント情報が確認できる。これによって、使用者が特定のデジタル写真データを探している場合や、デジタル写真を撮影した状況を想起しながら撮影画像情報を観賞したい場合に役立つという利点がある。
【００５０】
最後に、イベント補助情報表示処理について図７、図８、図９を用いて説明する。イベント補助情報表示処理は、上述したデータ付加処理完了後に実行される。なお、上述したイベント情報表示処理完了後に実行してもよい。
【００５１】
図７はイベント関連情報データベースに格納されているデータ構造（イベント関連情報データ）の格納例を示す図である。イベント情報をキーとして、イベント情報に関連する情報（文章情報、画像情報、音情報、関連Ｗｅｂページ）の保存場所を参照可能な形にして格納している。
【００５２】
イベント補助情報表示処理では、ＣＰＵ２が、表示部７に表示したデジタル写真データのイベント情報に対応するイベント関連情報データをイベント関連情報データベース９から取得し、イベント関連情報データの保存場所を参照するためのリンク（たとえば、文章情報において、「／／ｘｘ．ｔｘｔ」）を所定形式（例えば、「．ｔｘｔ」で識別されるリンクは「文字情報」と変換する）に変換してイベント補助情報としてＲＡＭ４に保存し、使用者のイベント補助情報表示要求に応じて、または所定タイミングで自動的に表示部７に表示させる。
【００５３】
図８は撮影画像情報の表示と同時に、イベント補助情報を表示部７に表示する場合の表示例を示す図である。サブメニューという表示に続いて、イベント関連情報にアクセスするためのリンクを示すイベント補助情報が示されている。
【００５４】
ここで、図８に示すイベント補助情報「文字情報」は、図７に示すイベント関連情報「文章情報」へのリンクであり、イベント補助情報「サウンド」は、イベント関連情報「音情報」へのリンクである。また、イベント補助情報「地図表示」は、イベント関連情報「画像情報」へのリンクであり、イベント補助情報「Ｗｅｂ情報」は、イベント関連情報「関連Ｗｅｂページ」へのリンクである。
【００５５】
更に、イベント補助情報には同じイベントで撮影したデジタル写真データの撮影画像情報へのアクセス手段（「同じイベントの写真」）や、近くで撮影したデジタル写真データの撮影画像情報へのアクセス手段（「近くの写真」）も含まれる。デジタル写真データの撮影位置情報またはイベント情報を比較することによって、これらのデジタル写真データを特定することができる。
【００５６】
使用者は入力部８を通じて所望のリンクを選択することにより、所望のリンクに対応付けられた所望のイベント関連情報にアクセスすることが可能である。
【００５７】
図９はイベント補助情報を通じてイベント関連情報にアクセスした場合の表示例を示す図である。ここでは、図８に示す「地図表示」というイベント補助情報を利用して、対応するイベント関連情報「画像情報」としてイベント関連情報データベース９に格納された地図を表示部７に表示させている。ここで、地図表示では、前述のように予めイベント関連情報データベース９に格納された特定の撮影画像情報を用いて表示しているが、デジタル写真データのＥｘｉｆ情報として記憶された撮影位置情報を用いて地図上の地点を特定し、関連Ｗｅｂページにアクセスして表示するようにしてもよい。
【００５８】
上述のように、イベント補助情報表示処理によって、撮影画像情報の表示と同時に、あるいは所定タイミングでイベント補助情報を表示すると、撮影画像情報を観賞しながら、関連した情報にアクセスすることができる。これによって、デジタル写真データ処理装置１は、使用者が撮影画像情報の観賞によって得た興味に対して、素早く有益な情報を提供することができる。
【００５９】
なお、本実施の形態では、デジタル写真データの所定位置にイベント情報をＯＳＤ（Ｏｎ  Ｓｃｒｅｅｎ  Ｄｉｓｐｌａｙ）表示しているが、デジタル写真データを所定の画像解析方法で解析し、解析された結果に応じて、デジタル写真データ中でイベント情報が対応する位置にイベント情報をＯＳＤ表示するようにしてもよい。
【００６０】
以上説明したように、本発明の実施の形態１によれば、デジタル写真データに対して、イベント名を指定して絞込み検索を行うことができるので、目的のデジタル写真データを容易に検索できるという効果を得ることができる。また、撮影画像情報を観賞すればメタデータをわざわざ参照しなくてもイベント情報が確認できるので、デジタル写真を撮影した状況を想起しながら撮影画像情報を観賞したい場合に役立つという効果を得ることができる。更に、撮影画像情報を観賞しながら、関連した情報にアクセスすることができるので、使用者が撮影画像情報の観賞によって得た興味に対して、素早く有益な情報を提供することができるという効果を得ることができる。
（実施の形態２）
以下図１０から図１４を参照しながら、実施の形態２について説明する。図１０は、実施の形態２におけるデジタル写真データ処理装置とデジタル写真データサーバからなるデジタル写真データ処理システムの構成を示すブロック図である。
【００６１】
デジタル写真データ処理装置１０は、ＣＰＵ２と、ＲＯＭ３と、ＲＡＭ４と、デジタル写真データ取得部５と、表示部７と、入力部８及び通信部１１から構成される。デジタル写真データ処理装置１０において、図１に示すデジタル写真データ処理装置１と同符号を付したものは同機能を有するため説明を省略する。
【００６２】
通信部１１は、ネットワークアダプタ等からなり、デジタル写真データサーバ２０との間で情報を送受信するものである。
【００６３】
デジタル写真データサーバ２０は、ＣＰＵ２２と、ＲＯＭ２３と、ＲＡＭ２４と、通信部２５と、イベントデータベース２６及びイベント関連情報データベース２９から構成される。
【００６４】
ＣＰＵ２２は、演算処理によってデジタル写真データサーバ２０全体の動作を制御するものである。ＲＯＭ２３は、各種データ、プログラムを記憶するものである。ＲＡＭ２４は、デジタル写真データサーバ２０の動作に使用される各種データ、プログラムを一時的に記憶するものである。
【００６５】
通信部２５は、ネットワークアダプタ等からなり、デジタル写真データ処理装置１０との間で情報を送受信するものである。
【００６６】
イベントデータベース２６は、イベントデータを複数格納したデータベースである。イベントデータは、実施の形態１で説明したイベントデータ（図２参照）と同様であるため、詳細説明は省略する。
【００６７】
イベント関連情報データベース２９は、イベント関連情報データのアドレスを格納したデータベースである。イベント関連情報データは、実施の形態１で説明したイベント関連情報データ（図７参照）と同様であるため、詳細説明は省略する。
【００６８】
なお、本実施の形態では、デジタル写真データ処理システムは、１つのデジタル写真データ処理装置１０と１つのデジタル写真データサーバ２０から構成されているが、デジタル写真データ処理システムは複数のデジタル写真データ処理装置１０がデジタル写真データサーバ２０と、通信部１１および通信部２５を介して情報を送受信するものでも良い。
【００６９】
次に、デジタル写真データ処理システムの処理について詳述する。実施の形態２では、デジタル写真データ処理システムは、データ付加処理、イベント情報表示処理、イベント補助情報表示処理、イベント情報作成処理を行う。なお、イベント情報表示処理については、実施の形態１と同処理を実施するため説明を省略する。
【００７０】
まず、データ付加処理について、図１１、図１２を用いて説明する。図１１は、デジタル写真データ処理装置１０側でのデータ付加処理を示すフローチャートである。図１２は、デジタル写真データサーバ２０側でのデータ付加処理を示すフローチャートである。以下、図１１及び図１２を用いてデジタル写真データ処理システムのデータ付加処理を説明するが、実施の形態１におけるデータ付加処理と同様の処理については説明を簡略化する。
【００７１】
まず、デジタル写真データ処理装置１０において、使用者からあるデジタル写真データが入力部８を介して指定されると、ＣＰＵ２は、ＲＡＭ４にデジタル写真データを読み出す（ステップＳ１）。
【００７２】
次いで、デジタル写真データ処理装置１０のＣＰＵ２は、通信部１１を制御してデジタル写真データの撮影位置情報と撮影日時情報をデジタル写真データサーバ２０に送信する（ステップＳ２１）。
【００７３】
デジタル写真データサーバ２０では、通信部２５を介して、デジタル写真データ処理装置１０から送信された撮影位置情報と撮影日時情報を受信し、内容をＲＡＭ２４に読み出す（ステップＳ３１）。
【００７４】
そして、デジタル写真データサーバ２０のＣＰＵ２２は、イベントデータベース２６からイベント情報の抽出を行うイベント情報抽出処理を実行する（ステップＳ３２）。イベント情報抽出処理は実施の形態１と同様の処理である。
【００７５】
デジタル写真データサーバ２０のＣＰＵ２２は、イベント情報の抽出ができれば、イベント情報を通信部２５を介してデジタル写真データ処理装置１０に送信する（ステップＳ３３）。
【００７６】
デジタル写真データ処理装置１０では、通信部１１を介して、デジタル写真データサーバ２０から送信されたイベント情報を受信し、内容をＲＡＭ４に読み出す（ステップＳ２２）。そして、デジタル写真データ処理装置１０のＣＰＵ２は、ＲＡＭ４に読み出したイベント情報をデジタル写真データに付加する（ステップＳ３）。具体的には、実施の形態１と同様にメーカーノート領域にイベント情報を書き込む。
【００７７】
またその他にも、デジタル写真データに共通するイベント名を名称としたフォルダ分けを行ってもよい。
【００７８】
このように、本実施の形態によれば、デジタル写真データ処理システムによって、デジタル写真データにイベント情報の付加ができると、実施の形態１で述べた利点に加えて次のような利点がある。
【００７９】
すなわち、イベントデータベース２６は、その記憶する内容が世の中で開催されるイベントに関するものであるから、データベースの更新要請は非常に高いものである。
【００８０】
しかし、デジタル写真データ処理装置１０が各々イベントデータベースを保有すると、各々でイベントデータベースを更新する必要が生じ、煩雑である。また、多数のデジタル写真データ処理装置１０が存在しない場合でも、デジタル写真データ処理装置１０の利用者は主にサービスを受けるクライアントであることが想定されるから、煩雑な作業をクライアントに課すことは避けたほうが望ましい。
【００８１】
そのため、本実施の形態のように、特定のサーバがイベントデータベース２６を保有する形態とすると、デジタル写真データサーバ２０側で、イベントデータベース２６のみを更新することで、デジタル写真データ処理装置１０に最新のイベントデータベースを用いたデータ付加処理を実行させることが可能となる。
【００８２】
また、デジタル写真データ処理装置１０側の構成も、通信部１１を有する構成とするのみで必要以上に複雑なものとならず、システムの導入が容易である。
【００８３】
次に、イベント補助情報表示処理について説明する。イベント補助情報表示処理は、データ付加処理完了後に実行される。なお、イベント情報表示処理完了後に実行してもよい。本実施の形態では、実施の形態１との差異についてのみ説明する。
【００８４】
本実施の形態では、デジタル写真データ処理装置１０は、表示部７に表示したデジタル写真データに対応するイベント情報のイベント補助情報をデジタル写真データサーバ２０から取得し、取得したイベント補助情報をＲＡＭ４に記憶し、使用者のイベント補助情報表示要求に応じて、または所定タイミングで自動的に表示部７に表示させる。
【００８５】
具体的には、まず、デジタル写真データ処理装置１０のＣＰＵ２が、使用者のイベント補助情報表示要求に応じてまたは所定タイミングで自動的に通信部１１を介して補助情報を表示したいデジタル写真データのイベント情報をデジタル写真データサーバ２０に送信する。デジタル写真データサーバ２０のＣＰＵ２２は、デジタル写真データ処理装置１０から受信したイベント情報を用いて、イベント関連情報データベース２９から受信したイベント情報に関連するイベント関連情報データを取得してＲＡＭ２４に保存し、イベント関連情報データの保存場所を参照するためのリンクを所定形式に変換したイベント補助情報を、通信部２５を用いてデジタル写真データ処理装置１０に送信する。
【００８６】
デジタル写真データ処理装置１０のＣＰＵ２は、デジタル写真データサーバ２０からイベント補助情報を受信し、受信したイベント補助情報を表示部７に表示させる。
【００８７】
このように、デジタル写真データ処理システムによって撮影画像情報の表示と同時にイベント補助情報を表示すると、実施の形態１で述べた利点に加えて次のような利点がある。
【００８８】
すなわち、イベント関連情報データベース２９は、その記憶する内容が世の中で開催されるイベントに関するものであるから、データベースの更新要請は非常に高いものである。
【００８９】
しかし、デジタル写真データ処理装置１０が、各々イベント関連情報データベースを保有すると、各々でイベント関連情報データベースを更新する必要が生じ、煩雑である。また、多数のデジタル写真データ処理装置１０が存在しない場合でも、デジタル写真データ処理装置１０の利用者は主にサービスを受けるクライアントであることが想定されるから、煩雑な作業をクライアントに課すことは避けたほうが望ましい。
【００９０】
ここで、本実施の形態のように、特定のサーバがイベント関連情報データベース２９を保有する形態とすると、デジタル写真データサーバ２０側で、イベント関連情報データベース２９のみを更新することで、デジタル写真データ処理装置１０に最新のイベント関連情報データベース２９を用いてデータ付加処理を実行させることが可能となる。
【００９１】
また、デジタル写真データ処理装置１０側の構成も通信部１１を有する構成とするのみで必要以上に複雑なものとならず、システムの導入が容易である。
【００９２】
最後に、イベント情報作成処理について、図１３、図１４を用いて説明する。図１３は、デジタル写真データ処理装置１０におけるイベント情報作成処理を示すフローチャートである。図１４は、デジタル写真デーサーバ２０におけるイベント情報作成処理を示すフローチャートである。イベント情報作成処理は、デジタル写真データサーバ２０のＣＰＵ２２が実行しており、ＣＰＵ２２はデータベース作成部を構成する。イベント情報作成処理では、イベントデータベース２６および／又はイベント関連情報データベース２９の内容を、デジタル写真データ処理装置１０側が送信する情報によって書き換える動作を行う。ここで、デジタル写真データにはデータ付加処理がなされていないものとする。また、デジタル写真データ処理装置１０の使用者は、デジタル写真データがどのイベントで撮影して作成されたものかを認知しているとする。
【００９３】
まず、デジタル写真データ処理装置１０の使用者が入力部８を用いて、イベント情報を追加する要求を行う（ステップＳ４１）。例えば、デジタル写真データサーバ２０のイベントデータベース２６に「イベントＡ」を追加したい場合、使用者は、入力部８を介してイベント追加情報として「イベントＡ」を入力するとともに、「イベントＡ」に相当するデジタル写真データを指定する。ＣＰＵ２は、イベント追加要求が入力された場合に、通信部１１を制御して、イベント追加情報、指定したデジタル写真データの撮影位置情報と撮影日時情報をデジタル写真データサーバ２０に送信する（ステップＳ４２）。
【００９４】
デジタル写真データサーバ２０のＣＰＵ２２は、通信部２５を介してデジタル写真データ処理装置１０からイベント追加情報と、デジタル写真データの撮影位置情報と撮影日時情報を受信する（ステップＳ５１）。そして、受信したイベント追加情報がイベントデータベース２６に存在するか否かを判断する（ステップＳ５２）。
【００９５】
ＣＰＵ２２は、受信したイベント追加情報がイベントデータベース２６に存在しないと判断した場合は（ステップＳ５２で「Ｎｏ」）、受信したイベント追加情報、デジタル写真データの撮影位置情報、撮影日時情報を、夫々、イベント情報、位置範囲情報、日時範囲情報に変換してイベントデータベース２６に追加して、イベント情報作成処理を終了する。なお、受信した撮影位置情報を位置範囲情報に変換する場合や受信した撮影日時情報を日時範囲情報に変換する方法としては、受信した情報をそのままイベントデータベース２６の保存形式に変換してもよいし、受信した情報を中心として一定の範囲を加算し、加算した情報をイベントデータベース２６の保存形式に変換してもよい。
【００９６】
一方、受信したイベント追加情報がイベントデータベース２６に存在すると判断した場合は（ステップＳ５２で「Ｙｅｓ」）、受信した撮影位置情報がイベントデータベース２６上の該当するイベント情報に対応する位置範囲情報の範囲内か否か判断を行う（ステップＳ５３）。
【００９７】
受信した撮影位置情報がイベントデータベース２６上の該当するイベント情報に対応する位置範囲情報の範囲内ならば（ステップＳ５３で「Ｙｅｓ」）、受信した撮影日時情報がイベントデータベース２６上の該当するイベント情報に対応する位置範囲情報の範囲内か否か判断を行う（ステップＳ５４）。受信した撮影位置情報がイベントデータベース２６上の該当するイベント情報に対応する位置範囲情報の範囲内である場合は（ステップＳ５４で「Ｙｅｓ」）、イベント追加情報が既にイベントデータベース２６に存在すると判断してイベント情報作成処理を終了する。
【００９８】
受信した撮影位置情報がイベントデータベース２６上の該当するイベント情報に対応する位置範囲情報の範囲外である場合（ステップＳ５３で「Ｎｏ」）、又は受信した撮影日時情報がイベントデータベース２６上の該当するイベント情報に対応する位置範囲情報の範囲外である場合は（ステップＳ５４で「Ｎｏ」）、ＣＰＵ２２は、イベントデータベース２６において、該当するイベント情報に対応する位置範囲情報、又は日時範囲情報の更新処理を行う（ステップＳ５５）。そして、更新処理後に、イベント情報作成処理を終了する。
【００９９】
ここで、例を挙げて、位置範囲情報又は日時範囲情報の更新処理を説明する。図２をイベント情報作成処理前のイベントデータベース２６の有するイベントデータとする。データＩＤ「５」には、イベント情報「Ｅ川花火大会」が「２０１０年８月２２日の午後５時から同日午後１０時まで」開催されるものという情報が格納されている。
【０１００】
上記状況において、デジタル写真データ処理装置１０に、イベント追加情報として「Ｅ河花火大会」が入力され、また「Ｅ川花火大会」に相当するデジタル写真データであって、撮影位置情報が「北緯３４度４２分４３秒、東経１３５度２９分１０秒」であって、撮影日時情報が「２０１０年の８月２２日の午後１０時３０分」であるという情報を入力されたとする。すると、上記の情報を受信したデジタル写真データサーバ２０は、イベントデータベース２６のデータＩＤ「５」で指定されるイベント情報「Ｅ川花火大会」の日時範囲情報を「２０１０年８月２２日の午後５時から同日午後１０時３０分まで」開催されるものという内容に更新を行う。つまり、デジタル写真データ処理装置１０によって送られてくる情報を基に、イベントデータベース２６の情報をより適切なものに更新する処理が、位置範囲情報、又は日時範囲情報の更新処理である。
【０１０１】
このように、デジタル写真データ処理システムによってイベント情報作成処理を行うと次のような利点がある。
【０１０２】
すなわち、イベントデータベース２６は先述したように、更新要請の高いデータベースである。しかし、イベントデータベース２６の管理者が世の中の全てのイベントの登録管理を行うことは煩雑である。ここで、デジタル写真データ処理装置１０の使用者が、デジタル写真データについてイベント情報と、撮影位置情報、撮影日時情報を保有している点に着目して、これらの情報を用いてイベントデータベース２６を作成または更新することにより、登録管理の煩雑さから開放される。
【０１０３】
また、仮に誤登録のデータがイベントデータベース２６上に存在してしまったとしても、イベント情報作成処理が繰り返し行われることによって、内容が真正なものに近づいて行くことが考えられる。
【０１０４】
なお、上述のイベント情報作成処理において更新するデータベースはイベントデータベース２６として説明したが、イベント関連情報データベース２９においても下記処理によってデータ作成または更新を行うことができる。
【０１０５】
すなわち、図１３のステップＳ４２において、デジタル写真データ処理装置１０がイベント関連情報をデジタル写真データサーバ２０に送信し、デジタル写真データサーバ２０がイベント関連情報をＲＡＭ２４に格納する。そして格納したアドレスと受信したイベント情報を基にイベント関連情報データベース２９を更新する。
【０１０６】
このようにするとイベント関連情報データベース２９の内容も登録管理が容易であり、また内容の真正性も維持できる。
【０１０７】
なお、位置範囲情報又は日時範囲情報の更新処理は様々な処理手段が適用可能である。例えば、撮影位置情報または撮影日時情報が、既登録の情報より適用する範囲が大きく異なるときは、イベント情報が同じであっても新たなデータＩＤを使用して新たなイベントとして登録してもよい。このようにすると、むやみに位置範囲情報、日時範囲情報の範囲を広げるおそれが低減されるので、イベントデータベース２６の適切な管理が計れる。
【０１０８】
また、新たなデータＩＤを使用してイベント情報を登録する際に、位置範囲情報、日時範囲情報を撮影位置情報、撮影日時情報を中心として一定の範囲をもたせた情報とすることで、新たなイベント情報の位置範囲情報、日時範囲情報の示す範囲が極端に狭いものとならず、イベントデータベース２６の適切な管理が図れる。
【０１０９】
また、デジタル写真データサーバ２０がデジタル写真データを保存するデジタル写真データベース（図示せず）を有する場合は、図１３のステップＳ４２において、デジタル写真データ処理装置１０の使用者が入力部８を用いて入力する情報はイベント追加情報のみであってよい。この場合、デジタル写真データ処理装置１０では、使用者は、デジタル写真データサーバ２０のデジタル写真データベース（図示せず）にアクセスすることで所望のデジタル写真データを表示部７に表示している。そのため、デジタル写真データサーバ２０のＣＰＵ２２は、イベント情報作成処理において、デジタル写真データ処理装置１０から受信したイベント追加情報と、デジタル写真データベース（図示せず）が保存しかつデジタル写真データ処理装置１０が表示中の所望のデジタル写真データの撮影位置情報または撮影日時情報に基づいて、イベントデータベース２６の内容を更新または追加する。
【０１１０】
このようにすると、デジタル写真データサーバ２０が多数のデジタル写真データ処理装置１０に撮影画像情報を提示して、広くイベント情報を収集することができるので、イベントデータベース２６の適切な管理が図れる。
【０１１１】
また、イベント情報作成処理が繰り返されると、イベントデータベース２６の情報量が膨大なものになることが考えられる。このような場合は、イベント情報が有する絞込み条件を利用して、イベントデータベース２６に記録されるイベント情報の数を所定数に特定するものとしてもよい。
【０１１２】
絞込み条件には例えば、イベント情報作成処理においてイベント情報がデジタル写真データ処理装置１０から送信されてきた頻度が利用できる。頻度が低いものはイベントデータベース２６から削除するなどすればよい。このようにすると、局地的又は一家庭内で行われたイベント等は、イベントデータベース２６から削除されることとなり、イベントデータベース２６の適切な管理が計れる。
【０１１３】
その他、絞込み条件としては、イベント情報の類似度などを使用して、類似しているイベント情報はどちらかを削除するなどしてもよい。
【０１１４】
以上説明したように、実施の形態２によれば、データ付加処理によって、デジタル写真データに対して、イベント名を指定して絞込み検索を行うことができるので、目的のデジタル写真データを容易に検索できるという効果を得ることができる。また、特定のサーバがイベントデータベース２６を保有する形態とするので、デジタル写真データサーバ２０側で、イベントデータベース２６のみを更新することができるという効果がある。
【０１１５】
また、イベント情報表示処理によって、撮影画像情報を観賞すればメタデータをわざわざ参照しなくてもイベント情報が確認できるので、デジタル写真を撮影した状況を想起しながら撮影画像情報を観賞したい場合に役立つという効果を得ることができる。
【０１１６】
また、イベント補助情報表示処理によって、撮影画像情報を観賞しながら、関連した情報にアクセスすることができるので、使用者が撮影画像情報の観賞によって得た興味に対して、素早く有益な情報を提供することができるという効果を得ることができる。また、特定のサーバがイベント関連情報データベース２９を保有する形態とするので、デジタル写真データサーバ２０側で、イベント関連情報データベース２９のみを更新することができるという効果がある。
【０１１７】
また、イベント情報作成処理によって、広くイベント情報を収集することができるので、イベントデータベース２６の適切な管理が図れるという効果を得ることができる。
【産業上の利用可能性】
【０１１８】
本発明によれば、デジタル写真データの撮影位置情報および撮影日時情報に対応するイベント情報をデジタル写真データに対応付けることができるので、撮影者の記憶に残りやすいイベント情報を頼りに目的のデジタル写真を効率よく見つけ出すことができるから、デジタル写真を保存するデジタルカメラ、テレビ、パソコン等に有用である。
【符号の説明】
【０１１９】
１、１０    デジタル写真データ処理装置
２、２２    ＣＰＵ
３、２３    ＲＯＭ
４、２４    ＲＡＭ
５    デジタル写真データ取得部
６、２６    イベントデータベース
７    表示部
８    入力部
９、２９    イベント関連情報データベース
１１、２５    通信部
２０    デジタル写真データサーバ
【図１】
2011188171.tif 000003
【図２】
2011188171.tif 000004
【図３】
2011188171.tif 000005
【図４】
2011188171.tif 000006
【図５】
2011188171.tif 000007
【図６】
2011188171.tif 000008
【図７】
2011188171.tif 000009
【図８】
2011188171.tif 000010
【図９】
2011188171.tif 000011
【図１０】
2011188171.tif 000012
【図１１】
2011188171.tif 000013
【図１２】
2011188171.tif 000014
【図１３】
2011188171.tif 000015
【図１４】
2011188171.tif 000016